(57)【要約】      （修正有）【課題】  ユーザにより確度の高いバッテリー残時間を提供することができる移動通信端末を得る。【解決手段】  制御部は、一定時間の間における通信中のハンドオーバの発生頻度Ｆｃと待ち受け中のセルリセレクションの発生頻度Ｆｉとを監視し（ステップＳ５）、記憶部のテーブルから発生頻度Ｆｃ及びＦｉにそれぞれ対応するモビリティパラメータα及びβを得て（ステップＳ６）、モビリティパラメータα及びβを用いて端末のバッテリー残量を連続待ち受け可能時間及び連続通話可能時間にそれぞれ変換する（ステップＳ７）。【選択図】      図２
2007267067.tif 000002
【特許請求の範囲】
【請求項１】
移動通信端末のモビリティ制御の状況を基に該端末の電源電池の残量を該端末の連続待ち受け可能時間及び連続通話可能時間に変換する制御手段を含むことを特徴とする移動通信端末。
【請求項２】
前記制御手段は、前記モビリティ制御の状況として待ち受け中のセルリセレクション発生頻度及び通信中のハンドオーバ発生頻度を監視し、前記セルリセレクション発生頻度を基に前記電源電池の残量を前記連続待ち受け可能時間に変換すると共に、前記ハンドオーバ発生頻度を基に前記電源電池の残量を前記連続通話可能時間に変換することを特徴とする請求項１記載の移動通信端末。
【請求項３】
前記制御手段により求められた前記連続待ち受け可能時間及び連続通話可能時間を表示する表示手段を更に含み、
前記制御手段は、外部指示に応答して、前記モビリティ制御の発生を抑制すべく前記モビリティ制御の実行を判定するための条件を可変制御することを特徴とする請求項１または２記載の移動通信端末。
【請求項４】
移動通信端末の電池残量通知方法であって、
該端末のモビリティ制御の状況を基に該端末の電源電池の残量を該端末の連続待ち受け可能時間及び連続通話可能時間に変換して表示手段に表示するステップを含むことを特徴とする電池残量通知方法。
【請求項５】
前記ステップは、前記モビリティ制御の状況として待ち受け中のセルリセレクション発生頻度及び通信中のハンドオーバ発生頻度を監視するステップを有し、前記セルリセレクション発生頻度を基に前記電源電池の残量を前記連続待ち受け可能時間に変換すると共に、前記ハンドオーバ発生頻度を基に前記電源電池の残量を前記連続通話可能時間に変換することを特徴とする請求項４記載の電池残量通知方法。
【請求項６】
外部指示に応答して、前記モビリティ制御の発生を抑制すべく前記モビリティ制御の実行を判定するための条件を可変制御するステップを更に含むことを特徴とする請求項４または５記載の電池残量通知方法。
【請求項７】
移動通信端末の電池残量通知方法をコンピュータに実行させるためのプログラムであって、
該端末のモビリティ制御の状況を基に該端末の電源電池の残量を該端末の連続待ち受け可能時間及び連続通話可能時間に変換して表示手段に表示する処理を含むことを特徴とするプログラム。
【請求項８】
前記処理は、前記モビリティ制御の状況として待ち受け中のセルリセレクション発生頻度及び通信中のハンドオーバ発生頻度を監視する処理を有し、前記セルリセレクション発生頻度を基に前記電源電池の残量を前記連続待ち受け可能時間に変換すると共に、前記ハンドオーバ発生頻度を基に前記電源電池の残量を前記連続通話可能時間に変換することを特徴とする請求項７記載のプログラム。
【請求項９】
外部指示に応答して、前記モビリティ制御の発生を抑制すべく前記モビリティ制御の実行を判定するための条件を可変制御する処理を更に含むことを特徴とする請求項７または８記載のプログラム。
【発明の詳細な説明】
【技術分野】
【０００１】
本発明は移動通信端末、その電池残量通知方法及びプログラムに関し、特にユーザに電源電池の残量に係る情報を通知する移動通信端末の電池残量通知方法に関する。
【背景技術】
【０００２】
ユーザが携帯電話機などの移動通信端末のバッテリー残量を知る手段として、移動通信端末のディスプレイに表示される電池アイコン（バッテリーアイコン）がある。一般的にこの場合、バッテリー量を３段階のステップ表示で表しているだけのため、この表示を基にユーザが確度あるバッテリー残時間（使用可能時間）を知ることは難しい。一方で、移動通信端末を持ち歩いて使用していてすぐに充電できない環境にあるときなど、ユーザはバッテリーがあとどれくらい持つか把握したいケースがある。
【０００３】
そこで、特許文献１には、ユーザがより具体的に電池の残量を把握することができるように、電源電池の残量を連続待ち受け可能時間及び連続通話可能時間に変換して表示するようにした携帯電話装置が開示されている。
【０００４】
【特許文献１】特開２００２−１６４９７１号公報
【発明の開示】
【発明が解決しようとする課題】
【０００５】
移動通信端末は、通信中におけるハンドオーバ、移動通信システムのネットワークに位置登録が完了しており発着信が可能な待ち受け状態（ＩＤＬＥ状態）におけるセルリセレクションのように、通信中及び待ち受け中、常に通信可能な状態を維持するべく、受信電界レベルの良い最適なセルに移る機能を有する。
【０００６】
そして、移動通信端末の消費電力は、モビリティ（Ｍｏｂｉｌｉｔｙ）制御（ハンドオーバ、セルリセレクション）に依存するところが大きい。通信中であればハンドオーバの発生頻度、また待ち受け中であればセルリセレクションの発生頻度に大きく影響される。ハンドオーバ及びセルリセレクション発生頻度を上げれば、通信・サービス品質向上につながるが消費電力は増加し、ハンドオーバ及びセルリセレクション発生頻度を下げれば、消費電力は低減されるが品質は低下する。
【０００７】
このように、ハンドオーバ及びセルリセレクション発生頻度と消費電力の間には相関関係が成立するが、特許文献１記載の携帯電話装置では、このような関係を全く考慮すること無くバッテリー残時間を求めるようにしている。
【０００８】
本発明の目的は、ユーザにより確度の高いバッテリー残時間を提供することができる移動通信端末、その電池残量通知方法及びプログラムを提供することである。
【課題を解決するための手段】
【０００９】
本発明による移動通信端末は、移動通信端末のモビリティ制御の状況を基に該端末の電源電池の残量を該端末の連続待ち受け可能時間及び連続通話可能時間に変換する制御手段を含むことを特徴とする。
【００１０】
前記移動通信端末において、前記制御手段は、前記モビリティ制御の状況として待ち受け中のセルリセレクション発生頻度及び通信中のハンドオーバ発生頻度を監視し、前記セルリセレクション発生頻度を基に前記電源電池の残量を前記連続待ち受け可能時間に変換すると共に、前記ハンドオーバ発生頻度を基に前記電源電池の残量を前記連続通話可能時間に変換することを特徴とする。
【００１１】
本発明による電池残量通知方法は、移動通信端末の電池残量通知方法であって、該端末のモビリティ制御の状況を基に該端末の電源電池の残量を該端末の連続待ち受け可能時間及び連続通話可能時間に変換して表示手段に表示するステップを含むことを特徴とする。
【００１２】
本発明によるプログラムは、移動通信端末の電池残量通知方法をコンピュータに実行させるためのプログラムであって、該端末のモビリティ制御の状況を基に該端末の電源電池の残量を該端末の連続待ち受け可能時間及び連続通話可能時間に変換して表示手段に表示する処理を含むことを特徴とする。
【００１３】
このように、本発明では、端末の消費電力がモビリティ制御（ハンドオーバ、セルリセレクション）の発生頻度に大きく影響されることに着目して、モビリティ制御の状況を一定時間の間監視し、この状況を基に端末の電源電池の残量からバッテリー残時間（使用可能時間）を求めるようにしているので、より確度の高いバッテリー残時間をユーザに提供することができる。
【発明の効果】
【００１４】
本発明によれば、以下に述べるような構成及び動作とすることで、より確度の高いバッテリー残時間をユーザに提供することができるという効果が得られる。
【発明を実施するための最良の形態】
【００１５】
以下、本発明の実施例について図面を参照して説明する。
【００１６】
図１は本発明の実施例による移動通信端末の構成を示す図である。図１に示すように、本発明の実施例による移動通信端末は、アンテナ１１と、無線部１２と、制御部１３と、記憶部１４と、ディスプレイ部１５と、操作部１６とを有している。
【００１７】
アンテナ１１にて受信された信号は無線部１２で復調され、復調されたデータが制御部１３に入力される。制御部１３は、各セルの受信電界レベルを定期的に測定するセルモニタを行う測定機能１３ａを有し、このセルモニタの結果を基にモビリティ制御（ハンドオーバ、セルリセレクション）を行う。また、制御部１３は、端末の図示せぬバッテリーの電圧レベルを定期的に測定することによって、そのバッテリー残量を把握することができる。
【００１８】
次に、本発明の実施例の動作について図面を参照して説明する。図２は図１の移動通信端末の動作を示すフローチャートである。図２において、制御部１３はまず、ユーザによりバッテリー残時間表示の要求があるかどうかを判断し（ステップＳ１）、要求がない場合には従来と同様にバッテリーアイコンによるバッテリー残量通知を行う（ステップＳ２）。要求がある場合には本発明の実施例による電池残量通知方法を実行すべく、制御部１３は、満充電時のバッテリー容量を記憶部１４に設定し（ステップＳ３）、図示せぬタイマを起動して所定のタイマ値Ｔ＿ｍｅｍｏｒｙの計時を開始する（ステップＳ４）。
【００１９】
制御部１３は、タイマの起動からＴ＿ｍｅｍｏｒｙ満了までの間、通信中のハンドオーバの発生回数と待ち受け中のセルリセレクションの発生回数とを監視する（ステップＳ５）。Ｔ＿ｍｅｍｏｒｙ満了後、制御部１３は、通信中のハンドオーバの発生頻度Ｆｃと待ち受け中のセルリセレクションの発生頻度Ｆｉとからモビリティパラメータα及びβを求める（ステップＳ６）。
【００２０】
記憶部１４は図３のＦｃとαの対応関係を示すテーブル及び図４のＦｉとβの対応関係を示すテーブルを持っており、制御部１３は、これらテーブルを参照して、通信中のハンドオーバ発生頻度Ｆｃに対応するαの値と、待ち受け中のセルリセレクション発生頻度Ｆｉに対応するβの値とを決定する。
【００２１】
なお、Ｔ＿ｍｅｍｏｒｙにおける通信中の時間をＴ１、待ち受け中の時間をＴ２とし（Ｔ＿ｍｅｍｏｒｙ＝Ｔ１＋Ｔ２）、Ｔ＿ｍｅｍｏｒｙの間に使用したバッテリー消費量をＹとして、これを以下の式（１）のように定義する。
Ｙ＝α×Ｔ１＋β×Ｔ２  ・・・（１）
【００２２】
図３及び図４に示したテーブルは一例であり、実際は上記の式（１）を満たすことができるように実験によりテーブル内の各値が決定される。なお、バッテリー消費量Ｙは満充電時のバッテリー容量を１００、Ｔ＿ｍｅｍｏｒｙ満了時のバッテリー残量をＸとして、Ｙ＝１００−Ｘと表すことができる。
【００２３】
ステップＳ６の後、制御部１３はモビリティパラメータα及びβを基に、通信中でのみ利用した場合のバッテリー残時間（連続通話可能時間）Ｔ３と、待ち受け中のみで利用した場合のバッテリー残時間（連続待ち受け可能時間）Ｔ４とを以下の式（２）及び（３）よりそれぞれ求める（ステップＳ７）。
Ｔ３＝Ｘ／α  ・・・（２）
Ｔ４＝Ｘ／β  ・・・（３）
【００２４】
そして、制御部１３は、モビリティパラメータα及びβを基に求められた連続通話可能時間Ｔ３と連続待ち受け可能時間Ｔ４とをディスプレイ部１５に表示せしめることにより、ユーザにこれらバッテリー残時間を通知する（ステップＳ８）。
【００２５】
ここで、通知されたバッテリー残時間に対してユーザから操作部１６を用いた時間延長要求があれば（ステップＳ９）、制御部１３はこの要求に応答して、ハンドオーバ及びセルリセレクションの発生を抑制すべく、これらハンドオーバ及びセルリセレクションの実行を判定するための判定条件を可変制御することにより、消費電力を削減してバッテリー残時間の延長を図る（ステップＳ１１）。
【００２６】
例えばハンドオーバの場合、制御部１３は測定機能部１３ａからセルモニタの結果報告を定期的に受けており、周辺セルの受信電界レベルが現在通信中のアクティブセルの受信電界レベルを所定の閾値レベルＲｒ以上、上回り続けている時間が所定の閾値時間Ｔｔ以上であれば、ハンドオーバ処理を実行する。したがって、制御部１３がこの閾値時間Ｔｔをより大きな値に設定することにより、ハンドオーバの発生頻度を下げることができる。なお、閾値レベルＲｒをより大きな値に設定するようにしてもよいことは勿論である。
【００２７】
またセルリセレクションの場合、制御部１３は、周辺セルの受信電界レベルが在圏セルであるサービングセルの受信電界レベルを所定の閾値レベルＱｈ以上、上回り続けている時間が所定の閾値時間Ｔｒ以上であれば、セルリセレクション処理を実行する。したがって、制御部１３がこの閾値時間Ｔｒをより大きな値に設定することにより、セルリセレクションの発生頻度を下げることができる。なお、閾値レベルＱｈをより大きな値に設定するようにしてもよいことは勿論である。
【００２８】
ステップＳ９においてユーザから時間延長要求がなければ、本制御終了とする（ステップＳ１０）。なお、図２に示したフローチャートの処理は定期的に実行されるものとする。また、図２に示したフローチャートに従った移動通信端末の処理動作は、該端末において、予めＲＯＭ等の記憶媒体に格納されたプログラムを、ＣＰＵ（制御部）となるコンピュータに読み取らせて実行せしめることにより、実現できることは勿論である。
【００２９】
このように、本発明の実施例によれば、端末のモビリティ制御の状況を監視して、この状況を基にバッテリー残時間を求めるようにしているので、より確度の高いバッテリー残時間をユーザに提供することができる。また、通知されたバッテリー残時間に対してユーザから時間延長要求があれば、モビリティ制御の発生を抑制すべくモビリティ制御の実行を判定するための判定条件を可変制御するようにしているので、バッテリー残時間の延長を図ることが可能である。
【００３０】
なお、図２のステップＳ３において、満充電時のバッテリー容量を記憶部１４に記録するとしたが、これは本制御の開始をバッテリー満充電時としていたためであり、本制御の開始が満充電時でなければその時点におけるバッテリー容量を記憶部１４に記録することは勿論である。
【００３１】
また、タイマ値Ｔ＿ｍｅｍｏｒｙは可変可能とする。Ｔ＿ｍｅｍｏｒｙが大きい値に設定されていれば、より確度の高いバッテリー残時間を導くことが可能であり、Ｔ＿ｍｅｍｏｒｙが小さい値に設定されていれば、確度は低下するが素早くバッテリー残時間を導くことが可能である。
【００３２】
また、図２のステップＳ１１における抑制制御において、モニタセルの受信電界レベルを考慮して制御をなすようにしてもよい。すなわち、受信電界レベルが低い場合、無線環境が不安定なためモビリティ制御の発生頻度が上がると考えられるので、受信電界レベルが高い場合よりも判定条件をより大きく可変制御する。
【図面の簡単な説明】
【００３３】
【図１】本発明の実施例による移動通信端末の構成を示す図である。
【図２】図１の移動通信端末の動作を示すフローチャートである。
【図３】ハンドオーバ発生頻度Ｆｃとモビリティパラメータαの対応関係を示すテーブルを示す図である。
【図４】セルリセレクション発生頻度Ｆｉとモビリティパラメータβの対応関係を示すテーブルを示す図である。
【符号の説明】
【００３４】
１１    アンテナ
１２    無線部
１３    制御部
１３ａ    測定機能部
１４    記憶部
１５    ディスプレイ部
１６    操作部
【図１】
2007267067.tif 000003
【図２】
2007267067.tif 000004
【図３】
2007267067.tif 000005
【図４】
2007267067.tif 000006